(57)【特許請求の範囲】
【請求項１】
用紙上に画像を形成する画像形成手段と、
用紙の一辺を片方の端部から複数の領域に分割する第一の領域分割手段と、
この領域に識別情報を付す識別情報形成手段と、
前記画像形成手段により複数枚の原稿からなる文書を複数部作成する際に、第一の文書に対しては前記第一の領域分割手段により分割された第一の領域に前記識別情報形成手段により識別情報を付し、前記第一の文書とは異なる第二の文書に対しては前記第一の領域とは別の第二の領域に前記識別情報を付すよう制御する第一の制御手段と、
前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、
この第二の分割手段により分割された領域のうち最も端部に近い領域から順に同一文書に対しては同じ位置に識別情報を付す第二の制御手段と、
を具備したことを特徴とする画像形成装置。
【請求項２】
用紙上に画像を形成する画像形成手段と、
用紙の一辺を片方の端部から複数の領域に分割する第一の領域分割手段と、
この領域に識別情報を付す識別情報形成手段と、
前記画像形成手段により同一原稿を複数枚連続して画像形成した束を複数部作成する際に、第一の束に対しては前記第一の領域分割手段により分割された第一の領域に前記識別情報形成手段により識別情報を付し、前記第一の束とは異なる第二の束に対しては前記第一の領域とは別の第二の領域に前記識別情報を付すよう制御する第一の制御手段と、
前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、
この第二の分割手段により分割された領域のうち最も端部に近い領域から順に同一の束に対しては同じ位置に識別情報を付す第二の制御手段と、
を具備したことを特徴とする画像形成装置。
【請求項３】
用紙を反転させる反転手段を持ち、前記識別情報を用紙を反転させた後に付すことを特徴とする請求項１及び２記載の画像形成装置。
【請求項４】
用紙上に画像を形成する画像形成手段と、
用紙のサイズを検知する検知手段と、
この検知手段によって検知された用紙のサイズをもとに、この用紙の一辺を片方の端部から複数の領域に分割する第一の領域分割手段と、
この領域に識別情報を付す識別情報形成手段と、
前記画像形成手段により複数枚の原稿からなる文書を複数部作成する際に、第一の文書に対しては前記第一の領域分割手段により分割された第一の領域に前記識別情報形成手段により識別情報を付し、前記第一の文書とは異なる第二の文書に対しては前記第一の領域とは別の第二の領域に前記識別情報を付すよう制御する第一の制御手段と、
前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、
この第二の分割手段により分割された領域のうち最も端部に近い領域から順に同一文書に対しては同じ位置に識別情報を付す第二の制御手段と、
を具備したことを特徴とする画像形成装置。
【請求項５】
用紙上に画像を形成する画像形成手段と、
用紙のサイズを検知する検知手段と、
この検知手段によって検知された用紙のサイズをもとに、この用紙の一辺を片方の端部から複数の領域に分割する第一の領域分割手段と、
この領域に識別情報を付す識別情報形成手段と、
前記画像形成手段により同一原稿を複数枚連続して画像形成した束を複数部作成する際に、第一の束に対しては前記第一の領域分割手段により分割された第一の領域に前記識別情報形成手段により識別情報を付し、前記第一の束とは異なる第二の束に対しては前記第一の領域とは別の第二の領域に前記識別情報を付すよう制御する第一の制御手段と、
前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、
この第二の分割手段により分割された領域のうち最も端部に近い領域から順に同一の束に対しては同じ位置に識別情報を付す第二の制御手段と、
を具備したことを特徴とする画像形成装置。
【発明の詳細な説明】
【０００１】
【発明の属する技術分野】
本発明は、画像形成装置に関し、特に区切りタブを用紙上に形成することで区分けを容易にする画像形成装置に関する。
【０００２】
【従来の技術】
近年、画像形成装置であるデジタル複写機には、ＦＡＸ機能やプリンタ機能を付加したデジタル複合機が開発されている。このような、デジタル複合機においては、通常のコピーに加え、ＦＡＸ受信印刷や、プリンタ印刷が可能であるため、これらの印刷物がトレイ上に混在して積み重ねられることになる。これらを混在させることは、後に仕分けをしたりするといった手間を生じることになり、またこの仕分けが困難になる場合も多くある。そこで、従来から、これらの複数の文書の区切りを明確にするため、文書の最初の１ページ目に印を付ける方法や、文書の区切り毎に白紙の用紙を混入させる方法、区切り毎に左右にずらして積み上げる方法等がある。特開昭６３−２０２７６３においては、識別マークを画像形成した複写用紙の一部に区切りタブを付加する方法を提案している。
【０００３】
【発明が解決しようとする課題】
この区切りタブを付加する方法において、多くの用紙からなる１文書に同位置に区切りタブを付加する場合は、有効的であるが、数枚の用紙からなる文書を多数積み重ねる場合、タブを付加する位置が重なってしまうこともあり、混同し混乱を起こしてしまうこともある。また、単純な区切りタブでは、瞬時にその文書がどういったものであるか、いつ印刷されたのかといった情報を読み取ることは不可能である。
そこで本発明の画像形成装置は、上記の問題を解決すべく提案するものである。
【０００４】
【課題を解決するための手段】
本発明の画像形成装置は、用紙上に画像を形成する画像形成手段と、用紙の一辺を片方の端部から複数の領域に分割する第一の領域分割手段と、この領域に識別情報を付す識別情報形成手段と、前記画像形成手段により複数枚の原稿からなる文書を複数部作成する際に、第一の文書に対しては前記第一の領域分割手段により分割された第一の領域に前記識別情報形成手段により識別情報を付し、前記第一の文書とは異なる第二の文書に対しては前記第一の領域とは別の第二の領域に前記識別情報を付すよう制御する第一の制御手段と、前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、この第二の分割手段により分割された領域のうち最も端部に近い領域から順に同一文書に対しては同じ位置に識別情報を付す第二の制御手段とから構成されている。
【０００５】
本発明の画像形成装置は、用紙上に画像を形成する画像形成手段と、用紙の一辺を片方の端部から複数の領域に分割する第一の領域分割手段と、この領域に識別情報を付す識別情報形成手段と、前記画像形成手段により同一原稿を複数枚連続して画像形成した束を複数部作成する際に、第一の束に対しては前記第一の領域分割手段により分割された第一の領域に前記識別情報形成手段により識別情報を付し、前記第一の束とは異なる第二の束に対しては前記第一の領域とは別の第二の領域に前記識別情報を付すよう制御する第一の制御手段と、前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、この第二の分割手段により分割された領域のうち最も端部に近い領域から順に同一の束に対しては同じ位置に識別情報を付す第二の制御手段とから構成されている。
【０００８】
本発明の画像形成装置は、用紙上に画像を形成する画像形成手段と、用紙のサイズを検知する検知手段と、この検知手段によって検知された用紙のサイズをもとに、この用紙の一辺を片方の端部から複数の領域に分割する第一の領域分割手段と、この領域に識別情報を付す識別情報形成手段と、前記画像形成手段により複数枚の原稿からなる文書を複数部作成する際に、第一の文書に対しては前記第一の領域分割手段により分割された第一の領域に前記識別情報形成手段により識別情報を付し、前記第一の文書とは異なる第二の文書に対しては前記第一の領域とは別の第二の領域に前記識別情報を付すよう制御する第一の制御手段と、前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、この第二の分割手段により分割された領域のうち最も端部に近い領域から順に同一文書に対しては同じ位置に識別情報を付す第二の制御手段とから構成されている。
【０００９】
本発明の画像形成装置は、用紙上に画像を形成する画像形成手段と、用紙のサイズを検知する検知手段と、この検知手段によって検知された用紙のサイズをもとに、この用紙の一辺を片方の端部から複数の領域に分割する第一の領域分割手段と、この領域に識別情報を付す識別情報形成手段と、前記画像形成手段により同一原稿を複数枚連続して画像形成した束を複数部作成する際に、第一の束に対しては前記第一の領域分割手段により分割された第一の領域に前記識別情報形成手段により識別情報を付し、前記第一の束とは異なる第二の束に対しては前記第一の領域とは別の第二の領域に前記識別情報を付すよう制御する第一の制御手段と、前記第一の領域分割手段により分割された前記複数の領域が全て使用された場合、前記用紙の一辺を前記第一の領域分割手段により分割された複数の領域のうち最も端部に位置する領域から少しずらした位置より複数の領域に分割する第二の領域分割手段と、この第二の分割手段により分割された領域のうち最も端部に近い領域から順に同一の束に対しては同じ位置に識別情報を付す第二の制御手段とから構成されている。
【００１０】
【発明の実施の形態】
以下、この発明の一実施の形態を図面を参照して説明する。
図１は、この発明に係る画像形成装置としてのデジタル複写機の全体構成を概略的に示すものである。このデジタル複写機１は、自動原稿送り装置２（以下、ＡＤＦと言う）、スキャナ３、印刷部４から構成されている。また、印刷部４の正面右部には用紙を供給する給紙トレイ１８、１９があり、また、正面左部には、排紙トレイ２６が設置されている。
【００１１】
ＡＤＦ２は、原稿を複数枚載置する原稿載置台２７と、原稿載置台２７上の原稿の両端を規制するガイド板２８と、原稿を原稿載置台２７から送り出す給紙コロ２９、原稿を一枚ずつ分離する分離ローラ３０、分離された原稿を返送する搬送ローラ３１、搬送ローラ３１により送り出された原稿を後述するコンタクトガラス３２の所定の位置に搬送する搬送ベルト３３、読み込まれた原稿を排紙する際の積載場所である排紙トレイ３４から構成されている。
【００１２】
スキャナ３は、原稿を載置するコンタクトガラス３２、原稿に光を照射する露光ランプ３５と、原稿からの反射光を導くミラー３６、３７、３８と、レンズ３９、光電変換によって反射光を読み取るＣＣＤセンサ４０からなり、これによって得られたデータをデジタルに変換する（詳細は後述する）。
【００１３】
印刷部４は、レーザ光源であるレーザダイオード及びポリゴンミラー（共に図示しない）を有するレーザ出力ユニット１４と結像レンズ１５、１６、ミラー１７からなる光学ユニットにより、後述する画像形成部にレーザを照射する仕組みになっている。前記画像形成部は中心に回転自在に軸支された像担持体としての感光体ドラム５があり、この感光体ドラム５は、帯電チャージャ６により一様に帯電された後、不要な帯電部分をイレーザ７により除去し、前述の光学ユニットによりレーザが照射され、静電潜像が形成される。ここで形成された静電潜像は現像ユニット８によりトナーが付着され、現像される。この動作とほぼ同時に給紙ユニット１８若しくは１９内の用紙がピックアップコロ２０若しくは２１によって印刷部４に送り出され、レジストローラ２２によりレジストされた後、先に現像された感光体上の像を転写部９で搬送された用紙上に転写される。この転写部９で像が転写された用紙は剥離チャージャ１０及び剥離爪１１により感光体ドラム５より剥離された後、搬送ベルト２３により定着部２４に運ばれ、熱定着された後、排紙ローラ２５により排紙トレイ２６に送られる。また、感光体ドラム５上で像が用紙に転写された後は、クリーニングユニット１２により感光体ドラム５上に残ったトナーが回収され、残留電荷を除電チャージャ１３により取り除かれ、次の印刷に移る。
【００１４】
図２は、本発明のデジタル複写機の上面から見た図である。原稿載置台２７より送られた原稿は、搬送ベルト３３よってコンタクトガラス３２に送られる。この送られた原稿のサイズは、反射型センサを必要数組み込んだ原稿サイズ検知ユニット４２が備え付けられている。また、デジタル複写機１の上部手前側には、コントロールパネル５０が取付けられており、ユーザが各種設定、印刷開始等を指示することができる。
【００１５】
図３は、コンロールパネルの構成図である。コントロールパネル５０は、印刷等の開始を指示するコピースタートキー５１と、印刷枚数や各種サイズ設定のための入力をするテンキー５２、入力された置数を表示する表示パネル５３、各種情報及びメッセージを表示し、また、表示されたアイコンやボタンを押すことでその設定ができるタッチパネル式ＬＣＤ５４を備えている。
【００１６】
図４はデジタル複写機の内部ブロック構成を示す。デジタル複写機１には、全体を制御するコントローラ６０があり、制御バス６２を介してスキャナ３、印刷部４、圧縮伸張部６３、画像処理部６４と繋がっており、これらを制御することができる。スキャナ３は、読み取った原稿を電子的なデータ（以降画像データと呼ぶ）に変換し、ページメモリ６５に書き込むことができる。ページメモリ６５は画像データを保持でき、印刷部４は、ページメモリ６５に保持されている画像データを取り出し紙媒体に印刷することが可能である。
【００１７】
ページメモリ６５上の画像データを加工編集するための画像処理部６４は、コントローラ６０と共有して使用可能な共用メモリ６６を持つ。画像処理部６４は共用メモリ６６に置かれた画像データをページメモリ６５上の画像データに合成する機能を持ち、その際、回転を施してから合成することも可能である。
【００１８】
圧縮伸長部６３は、複数枚分の画像データを保存するためのデータ蓄積用メモリ６７、および、ページメモリ６５上の画像データを圧縮してデータ蓄積用メモリ６７に格納する機能と、データ蓄積用メモリ６７に圧縮保存されているデータを元の画像データに伸張してページメモリ６５上に取り出すことのできる機能とを持つ。
【００１９】
また、このコントローラ６０には、画像データの座標系をページメモリ６５の座標系に変換する際に参照する座標変換テーブル６８と、ユーザが印刷上の設定をするコントロールパネル５０が繋がっている。ユーザの設定はコントローラ６０に送られ、この内容はメモリ６１保持することができる。
【００２０】
そしてデジタル複写機１にはオプションとして、ＦＡＸ機能部６９およびプリンタ機能部７０をそれぞれ独立に追加することが可能であり、デジタル複写機１をＦＡＸまたはプリンタとして動作させることも可能である。ＦＡＸ機能部６９は、電話回線７１を介して受信した画像データを一時的に保持する機能を持ち、また、プリンタ機能部７０はコンピュータ７２から送られてきた画像データを一時的に保持する機能を持つ。ＦＡＸ機能部６９およびプリンタ機能部７０に一時的に保持された画像データは、データ転送装置７３によってデータ蓄積用メモリ６７に格納することが可能である。なお、電話回線を通じて送られてくるＦＡＸの画像データおよびコンピュータから送られてくる画像データは圧縮されており、圧縮伸張部６３はこれらのデータを伸長した後、ページメモリ６５に置くことが可能である。コントローラ６０は制御バス６２を介してＦＡＸ機能部６９、プリンタ機能部７０、データ転送部７３も制御することができる。
【００２１】
このような内部構成を持つデジタル複写機１を用いることで、印刷すべき画像データはすべてデータ蓄積用メモリ６７に一旦格納し、必要に応じてページメモリ６５に取り出して画像合成などの画像処理を行ってから印刷することができる。
【００２２】
尚、データ蓄積用メモリ６７への保存は一連の画像データの集まりを単位として行う。ここでは、この一連の画像データの集まりを１文書と定義する。複写の場合はユーザによって原稿の終りが指定されるため、読み込み動作を開始してから終了指定されるまでに取り込んだ枚数の画像データを１文書とする。ＦＡＸの場合は回線が接続されてから切断されるまでに受信した１枚以上の画像データを１文書とし、プリンタの場合は、コンピュータ上から送られる際に一連の画像データが１文書として関連付けられている。なお、１文書を構成する画像データはすべて同じ用紙サイズである。
【００２３】
図５にデジタル複写機によるコピー処理の流れを示す。図５の左側はユーザの操作であり、右側はデジタル複写機の動作を示している。デジタル複写機は当初、待機状態（ＳＴ１）であり、ユーザがコピーに必要な設定をコントロールパネル５０を用いて行うと（ＳＴ２）、コントローラ６０はコントロールパネル５０からユーザの設定を取得し、それをメモリ６１上に保持する（ＳＴ３）。次にユーザは原稿をＡＤＦ２にセットし、コントロールパネル５０上に設けられたスタートボタンを押すと（ＳＴ４）、コントローラ６０は、これから読み込まれる画像データを内部で１文書として管理するための管理テーブルをメモリ６１上に作成し現在の設定をそれに登録する（ＳＴ５）。管理テーブルには濃度や倍率、部数などのコピー設定の他、原稿サイズ、原稿枚数、用紙サイズ、画像データの保存位置を保持することができる。そしてコントローラ６０の指示により、原稿読み込み処理（ＳＴ６）が行われる。ここで、すべての原稿の画像データがデータ蓄積用メモリ６７に保存される。全ての原稿が読み込まれると、コントローラ６０は印刷処理（ＳＴ７）を開始する。印刷処理では管理テーブルに基づきデータ蓄積用メモリ６７から画像データを取り出し、指定用紙に印刷する。印刷処理が終了すればコントローラ６０はデジタル複写機を待機状態に戻しコピー処理を完了する。
【００２４】
図６に前述した原稿読み取り処理の詳細を示す。スキャナ３は、原稿を１ページ読み取り、読み取った画像データをページメモリ６５に格納する（ＳＴ８）。ユーザが原稿サイズを指定しなかった場合、最初原稿サイズは不明であるが、スキャナ３は原稿サイズを検知する機能を有しているため、この機能を用いて原稿サイズを自動検知することができる。コントローラ６０は管理テーブルで原稿サイズが未定か調べ（ＳＴ９）、未定である場合は、コントローラ６０はスキャナ３から得られた原稿サイズを管理テーブルに保存する（ＳＴ１０）。次にコントローラ６０は圧縮伸張部６３に指示を送り、圧縮伸張部６３はページメモリ６５上の画像データをデータ蓄積用メモリ６７に保存する（ＳＴ１１）。この時コントローラ６０は画像データの保存位置を管理テーブルに格納する。画像データ１枚分の保存が終了すると、コントローラ６０は原稿が終わりに達したかどうかを調べる（ＳＴ１２）。ユーザが原稿を１枚ずつ入力する場合は、コントロールパネル５０に原稿の終了か否かを問い合わせる表示を行い、ユーザの入力にしたがって処理を続ける。ＡＤＦ２を用いる場合は、原稿が給紙トレイ上に有るかを調べて終了を判断する。この場合、スキャナ３がコントローラ６０に原稿の終了を伝える。次の原稿が存在する場合はＳＴ８に戻る。原稿の読み込みがすべて終了すれば、コントローラ６０は原稿読み取り処理を終了する。
【００２５】
図７、図８に前述した印刷処理の詳細を示す。図７はソートモードの場合であり、図８はグループモードの場合である。ソートモードとは、複数枚の原稿を複数部コピーする場合、１ページから最終ページまでを順に印刷することを指定部数繰り返すことであり、グループモードとは、複数枚の原稿を複数部コピーする場合に１ページ毎に指定部数のコピーを作成することである。
【００２６】
ソートモードの場合、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ１３）。次にコントローラ６０は管理テーブルにおいて、用紙サイズが未定であるか調べ（ＳＴ１４）、用紙サイズが未定の場合、管理テーブルに保持されている原稿サイズとコピー設定とからコントローラ６０が用紙サイズを自動的に決定し（ＳＴ１５）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加える（ＳＴ１６）。こうして得られた画像データを印刷部４はコントローラ６０の指示に従い印刷する（ＳＴ１７）。ここで、１枚目の印刷が終了するとコントローラ６０は最終ページまで印刷したかを判断し（ＳＴ１８）、ページ終了でなければＳＴ１３に戻る。最終ページまで印刷が終了の場合、コントローラ６０は管理テーブルに保持されている指定部数を印刷したか判断する（ＳＴ１９）。部数終了の場合は印刷処理を完了し、そうでなければＳＴ１３に戻る。
【００２７】
グループモードの場合、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ２０）。次にコントローラ６０は管理テーブルにおいて、用紙サイズが未定であるか調べ（ＳＴ２１）、用紙サイズが未定の場合、管理テーブルに保持されている原稿サイズとコピー設定とからコントローラ６０が用紙サイズを自動的に決定し（ＳＴ２２）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加える（ＳＴ２３）。こうして得られた画像データを印刷部４はコントローラ６０の指示に従い印刷する（ＳＴ２４）。１ページの印刷が終了すると、コントローラ６０は管理テーブル保持されている指定部数枚を印刷したか判断する（ＳＴ２５）。部数枚に達してなければＳＴ２４に戻る。指定部数枚を印刷した場合は、コントローラ６０は次に最終ページに達したか判断する（ＳＴ２６）。最終ページでなければＳＴ２０に戻り、最終ページまで印刷すれば印刷処理を終了する。以上のようにして、デジタル複写機はコピー作業を行うことができる。
【００２８】
次にＦＡＸ受信印刷の処理を説明する。図９はＦＡＸ受信印刷の処理の流れである。ＦＡＸ受信印刷にあたり、ユーザはあらかじめコントロールパネル５０を介してＦＡＸデータの印刷に対する設定を行うことができる。この設定はコントローラ６０によりメモリ６１に保持される。まず、待機状態（ＳＴ２７）にあるデジタル複写機１が、ＦＡＸ機能部６９が電話に自動応答するかユーザの指示によりＦＡＸ機能部６９はＦＡＸ受信を開始する（ＳＴ２８）。ＦＡＸ機能部６９はメモリを内蔵しており、１度の通信で受信した画像データをすべて内蔵のメモリに保存できる。ＦＡＸ受信を完了すると、コントローラ６０に受信終了を伝える。このとき、受信した画像データの用紙サイズ、枚数もコントローラ６０に伝える。コントローラ６０は管理テーブルをメモリ６１に作成し、ＦＡＸ印刷設定およびＦＡＸ機能部６９から得られた画像データの用紙サイズ、枚数を保存する。次にコントローラ６０はデータ転送部７３を制御し、ＦＡＸ機能部６９の内蔵メモリからＦＡＸデータを取り出し、データ蓄積用メモリ６７に格納する（ＳＴ３０）。このときコントローラ６０は、画像データの保存先を管理テーブルに登録する。そして、データ蓄積用メモリ６７に画像データがすべて格納されると、コントローラ６０は印刷処理ＳＴ３１を開始する。この印刷処理は図７に示したものである。但し、ＦＡＸ印刷においては、ソートモードでの印刷処理であり、部数１の印刷に相当する処理となる。このようにして印刷処理を終了すると、コントローラ６０はデジタル複写機を再び待機状態（ＳＴ２７）に戻す。
【００２９】
次に、プリンタ印刷の処理を説明する。図７はプリンタ印刷処理の流れである。待機状態（ＳＴ３２）にあるデジタル複写機１は、コンピュータ７２から印刷データが送られると、プリンタ機能部７０がデータ受信を開始し、まず、印刷データのヘッダ部分を受信する（ＳＴ３３）。印刷データのヘッダー部分には、印刷に関する設定が格納されており、プリンタ機能部７０はこれをコントローラ６０に伝える。コントローラ６０は、管理テーブルをメモリ６１に作成し（ＳＴ３４）、印刷設定や画像データの用紙サイズ、枚数を格納する。そしてコントローラ６０は、プリンタ機能部７０を制御し、画像データの受信を行う。プリンタ機能部７０はメモリをある程度内蔵しており、画像データの一部を一旦格納する（ＳＴ３５）。コントローラ６０はデータ転送部７３を制御し、プリンタ機能部７０の内蔵メモリから画像データの一部を順次取り出しデータ蓄積用メモリ６７に格納していく（ＳＴ３６）。このときコントローラ６０は画像データの保存先を管理テーブルに登録する。コントローラ６０は、データの終了に達したかを調べ（ＳＴ３７）、終了でない場合はＳＴ３５に戻る。データ蓄積用メモリ６７に画像データがすべて格納されると、コントローラ６０は印刷処理（ＳＴ３８）を開始する。この印刷処理は図７若しくは図８に示したものである。ＳＴ３８が終了すると、コントローラ６０はデジタル複写機１を再び待機状態（ＳＴ３２）に戻す。
【００３０】
以上のように、デジタル複写機１ではこのようにしてＦＡＸ受信印刷およびプリンタ印刷も行うことができる。
本発明ではこのようなデジタル複写機に、図１１に示すような合成画像８０を生成する手段を付加し、１文書の単位でそのすべてのページにこの画像合成を行う手段を付加するものである。画像合成はページメモリ６５上の画像データ８１の右縁に黒い矩形画像８２を付加するものであり、８３に示すように矩形画像を付加する位置は任意とすることが可能である。また、デジタル複写機でページ付加や画像合成等の画像編集を行う場合は、先に従来の画像処理を行い、処理がなされた後の画像データに対し矩形画像８２を合成する。このような合成画像の印刷されたものがデジタル複写機１の排紙トレイ２６上に蓄積されると、排紙トレイ２６上の用紙は矩形画像の位置により１文書単位での区別がつくようになる。以降ではこの黒い矩形画像８２の合成処理を区切りタブ付加処理と呼ぶ。区切りタブ付加処理は１文書単位で行うことができ、コピー作業時およびプリンタ印刷時はその文書に対し区切りタブ付加を行うか否かをユーザが指定することができる。ＦＡＸの印刷においては、区切りタブ付加を行う設定を行った場合、すべてのＦＡＸデータの印刷において自動的に付加される。なお、ソートモードでは１ページから最終ページまで印刷された１部を１文書とし、グループモードでは各ページ毎の集まりを１文書とする。
【００３１】
ここで、定義付けを行う。画像データの座標系は図１２に示すように右上８４を原点とし、縦方向をＸ座標（下への増加を正とする）、横方向をＹ座標（左への増加を正とする）とする。Ｙ方向がスキャナ３の主走査方向であり、Ｘ方向がスキャナ３の副走査方向を示している。画像データ８１が印刷されデジタル複写機１の排紙トレイ２６に排出された場合、用紙はデジタル複写機１の前面から見て倒立したものとなる。したがって、排出後の用紙では手前側の左隅が座標系の原点８４である。
【００３２】
ページメモリ６５上の画像データの方向は画像データの読み込まれ方によりその方向が決定されるため、排出される用紙の座標系とは必ずしも一致しない。このため、画像データの座標系での位置をページメモリ６５上に対応させるには座標変換が必要となる。そこでページメモリ６５に対し画像データの原点が対応する位置を図１３に示すようにあらかじめ定義する。この原点位置は、入力された画像データの種類と用紙サイズ、排出方向とから決定される。
【００３３】
モードＡは縦の画像データを縦方向に印刷する場合であり、モードＢは横の画像データを横方向に印刷する場合である。モードＣは縦の画像データを横方向に印刷する場合であり、モードＤは横の画像データを縦方向に印刷する場合である。それぞれのモードにおいて左下の図が、画像データをスキャナ３で読み込んだ場合を示し、右下の図が、ＦＡＸまたはプリンタからのデータ転送を示している。８４はそれぞれの原点を示しており、この関係を示したものが図１４に示した座標変換テーブル８５である。
【００３４】
コントローラ６０は、この座標変換テーブルを参照して座標変換を行い、画像データの座標系で示される位置をページメモリでの位置に変換することができる。
【００３５】
また、図１５に示した合成位置テーブル８６はデジタル複写機の起動時にコントローラ６０により作成されるものである。コントローラ６０はデジタル複写機の起動時に、この合成位置テーブル８６を作成しメモリ６１に保持している。このテーブルは用紙サイズ毎に矩形画像８７を付加する基準位置を保持することができ、テーブル作成時にはあらかじめ決められた初期値が先頭位置として用紙毎に設定される。用紙サイズは用紙が縦方向か横方向かによっても区別される。
【００３６】
図１６に区切りタブの付加方法の模式図を示す。ページメモリ６５には、あらかじめデータ蓄積用メモリ６７から圧縮伸張部６３によって取り出されるか、またはそのような画像データに対して画像処理が施された画像データ８０が置かれているものとする。
【００３７】
まず、矩形画像生成処理は、コントローラ６０が共用メモリ６６上に共用メモリ６６の画像原点８８から、あらかじめ定義されている縦寸法ａと横寸法ｂで、黒色に対応する値を用いて矩形画像８７を作成するものである。
【００３８】
次に合成位置取得処理を説明する。コントローラ６０が矩形画像８７を合成すべき基準位置を、ページメモリ６５上の画像データのサイズに従い、メモリ６１上にあらかじめ作成されている合成位置テーブル８６から取得する。そして、作業種類と用紙サイズ、排出方向とから座標変換テーブルを参照して画像データの原点位置を求め、それに基づき座標変換を行いページメモリ上の合成位置８９を算出する。また、コントローラ６０は画像変換テーブルに基づき、矩形画像の合成において回転が必要であればその角度を求める。次に合成位置更新処理では、コントローラ６０が基準位置のＹ座標の値に横寸法ｂを加算し、その値で合成位置テーブル８６の値を更新する。このとき計算されたＹ座標の値が対応する用紙の縦寸法よりも大きい場合は初期値を格納する。このような処理により、次にコントローラ６０が合成位置テーブル８６から画像合成の基準位置を得た場合、先に合成された位置とは異なる位置を得ることができる。次に、区切りタブ付加処理では、コントローラ６０は画像処理部６４に画像合成を指示する。その際、矩形画像８７の縦寸法ａと横寸法ｂおよび合成位置取得処理で計算した矩形画像８７を付加する合成位置、回転角度を情報として付加する。画像処理部６４は共用メモリ６６上の矩形画像８７に必要に応じて指定角度回転し、コントローラから与えられた合成位置８９に付加する。このようにして図１１に示される合成画像データが得られる。
【００３９】
以下、コピー作業の場合の区切りタブ付加理を説明する。本発明のデジタル複写機におけるタッチパネル式ＬＣＤ５４上には、図１７に示すように日付・時刻付加やページ付加といった従来の画像合成を設定するアイコン類に加えて、区切りタブ付加アイコンが追加されている。この画面でユーザが区切りタブ付加アイコン９０を押すことにより区切りタブ付加を設定できる。図５において、区切りタブ付加９０がユーザによって押されると、コントローラ６０により区切りタブ付加も含めたコピー設定が保持され（ＳＴ３）、印刷処理において作成される管理テーブルのコピー設定にこの設定が反映される（ＳＴ５）。ここで、原稿読み込み処理（ＳＴ６）が終了すると、印刷処理（ＳＴ７）が始まる。この区切りタブ付加が設定された印刷処理においては、図１８にソートモードにおける印刷処理を、図１９においてはグループモードにおける印刷処理を説明する。
【００４０】
図１８はソートモードでコピーを行う際に区切りタブ付加処理を行うときの流れを示したものであり、図７の処理を拡張したものである。尚、ソートモードでは区切りタブ位置は、１部毎に移動する。
【００４１】
印刷処理を開始すると、、前述した矩形画像生成処理（ＳＴ３９）を行い、次いで合成位置を取得し（ＳＴ４０）、合成位置更新処理を行う（ＳＴ４１）。ここで、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ４２）。次にコントローラ６０は管理テーブルにおいて、用紙サイズが未定であるか調べ（ＳＴ４３）、用紙サイズが未定の場合、管理テーブルに保持されている原稿サイズとコピー設定とからコントローラ６０が用紙サイズを自動的に決定し（ＳＴ４４）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加え（ＳＴ４５）、さらに前述した区切りタブ付加処理（ＳＴ４６）を行い、画像の合成を行う。こうして得られた画像データを印刷部４はコントローラ６０の指示に従い印刷する（ＳＴ４７）。ここで、１枚目の印刷が終了するとコントローラ６０は最終ページまで印刷したかを判断し（ＳＴ４８）、ページ終了でなければＳＴ４２に戻る。最終ページまで印刷が終了の場合、コントローラ６０は管理テーブルに保持されている指定部数を印刷したか判断する（ＳＴ４９）。部数終了の場合は印刷処理を完了し、そうでなければＳＴ４０に戻る。これにより、１部印刷が終了するまで、同じ位置に区切りタブが付加されることになり、また、複数部の作成においては、それぞれ異なる位置にタブが付加されることになる。
【００４２】
図１９はグループモードでコピーを行う際に区切りタブ付加処理を行うときの流れを示したものであり、図８の処理を拡張したものである。なお、グループモードでは区切りタブ位置はページが変わると移動する。
【００４３】
印刷処理を開始すると、前述した矩形画像生成処理（ＳＴ５０）を行い、次いで合成位置を取得し（ＳＴ５１）、合成位置更新処理を行う（ＳＴ５２）。ここで、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ５３）。次にコントローラ６０は管理テーブルにおいて、用紙サイズが未定であるか調べ（ＳＴ５４）、用紙サイズが未定の場合、管理テーブルに保持されている原稿サイズとコピー設定とからコントローラ６０が用紙サイズを自動的に決定し（ＳＴ５５）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加え（ＳＴ５６）、さらに前述した区切りタブ付加処理（ＳＴ５７）を行い、画像の合成を行う。こうして得られた画像データを印刷部４はコントローラ６０の指示に従い印刷する（ＳＴ５８）。１ページの印刷が終了すると、コントローラ６０は管理テーブル保持されている指定部数枚を印刷したか判断する（ＳＴ５９）。部数枚に達してなければＳＴ５８に戻る。指定部数枚を印刷した場合は、コントローラ６０は次に最終ページに達したか判断する（ＳＴ６０）。最終ページでなければＳＴ５１に戻り、区切りタブの位置を更新する。これらの動作を最終ページまで印刷すれば印刷処理を終了する。これにより、区切りタブ位置は、ページ毎に異なるようになる。以上のようにして、コピー印刷においてタブ付加処理を行う。
【００４４】
次にＦＡＸ印刷の場合について述べる。受信したＦＡＸの画像データに対し区切りタブ付加処理を行う場合、図９で示すＦＡＸ受信印刷処理を以下のように拡張する。ユーザはあらかじめコントロールパネル５０を介してＦＡＸ受信印刷に対する設定を行うことができるが、このとき区切りタブ付加処理を設定しておくことができる。
【００４５】
図２０にＦＡＸでの設定画面を示す。設定画面はコントロールパネル５０のタッチパネル式ＬＣＤに表示される。図２０の設定画面では従来の受信印刷設定画面に対し、新たに区切りタブ付加の設定行９１が設けられている。ユーザは区切りタブ付加行９１のONボタン９２を押下することで区切りタブ付加処理を設定できる。区切りタブ付加が指定されるとすべてのＦＡＸ印刷において区切りタブ付加処理が行われる。また、この設定はコントローラ６０によりメモリ６１に保存される。区切りタブ付加処理が行われる場合でも図９と同様にＦＡＸ受信を行う。始めデジタル複写機は待機状態ＳＴ２７であるが、ＦＡＸ受信を開始するとＳＴ２８からＳＴ３０までを行い、データ蓄積用メモリ６７に受信した画像データを格納する。そして、コントローラ６０は印刷処理を開始するが、この印刷処理は図１８に示したコピー処理での印刷処理と同じ処理を行う。図１８の印刷処理を行うことでＦＡＸデータの印刷においても区切りタブ付加ができる。印刷処理を終了するとコントローラ６０はデジタル複写機を再び待機状態ＳＴ２７に戻す。
【００４６】
プリンタ印刷の場合は図１０で示すプリンタ印刷処理を拡張する。区切りタブ付加を行うため、印刷データを送るコンピュータ上で動作するプリンタ設定画面は図２１に示すような画面となる。この画面では従来のプリンタ設定に加えて区切りタブ付加設定用のチェックボックス９３が追加されており、ユーザが区切りタブ付加を設定した場合、デジタル複写機に送られる印刷データのヘッダー領域に従来の印刷設定に加えて区切りタブ付加の設定が格納される。図１０と同様に待機状態ＳＴ３２であったデジタル複写機は、プリンタ機能部でヘッダー部を受信すると（ＳＴ３３）、コントローラ６０は処理（ＳＴ３４）で管理テーブルを作成するが、この時の印刷設定には区切りタブ付加の有無も格納される。次に、処理ＳＴ３５からＳＴ３７の処理を行い、データ蓄積用メモリ６７に画像データをすべて格納する。そしてコントローラ６０は印刷処理を開始するが、この印刷処理はコピー処理での印刷処理と同じ処理を行う。区切りタブ付加が設定されている場合は、図１８に示すソートモードまたは図１９に示すグループモードで印刷を行う。これによりプリンタ印刷においても区切りタブ付加処理を行うことができる。このようにして印刷処理を終了すると、コントローラ６０はデジタル複写機を再び待機状態ＳＴ３２に戻す。
【００４７】
コピー、ＦＡＸ受信印刷、プリンタ印刷はユーザの必要に応じて混在するが、合成位置テーブル８６は全体で１つのため、どの処理を行っても続く処理で同サイズ、同方向の用紙を排出した場合、区切りタブ付加位置は異なることになる。また、合成位置テーブル８６は用紙サイズ毎に付加する位置を保持しているため、用紙サイズやその方向毎に区切りタブ位置の自動調整が行われることになる。
【００４８】
尚、デジタル複写機がフィニッシャ装置を持ち、複数の排紙トレイを有する場合は、排紙トレイ毎に合成位置テーブルを複数用意する。これにより、排紙トレイ毎に独立して上記区切りタブ位置の自動調整を行うことが可能となる。
【００４９】
次に、区切りタブの位置に関する実施例を説明する。図２２は、区切りタブの付加位置を示した図である。前述したソートモード及びグループモードで印刷した場合、区切りタブが付加され、各単位毎にその位置をずらしていく。図に示すようにここでは、区切りタブを１巡目と２巡目、３巡目でそれぞれ開始位置をずらすことで同じ位置に区切りタブが付加されることを防いでいる。
【００５０】
図２３にこの発明での合成位置テーブルを示したものである。この合成位置テーブルは、前述した基準位置情報に加えて現在何巡目かを保持する領域持つ。たとえば４つの先頭位置を用意した場合、１から４の値が保持され、その値によって先頭位置に戻るときに設定する値を順番に変える。図２３の例では、用紙サイズＡ４の場合は現在３巡目であり、Ａ４Ｒでは、２巡目であり、それ以外の用紙では１巡目であることを示している。さらに、図２４の先頭位置対応テーブルをデジタル複写機１に用意し、これを読み出すことで、拡張された合成位置テーブルに格納すべき先頭位置を変えていくことができる。これにより、前述した２巡目以降の区切りタブ付加位置を１巡目とは異なる位置とすることによって可能である。
【００５１】
本発明ではさらに、矩形画像生成処理を拡張し、区切りタブ内に文字列を記述する方法を提案する。また、合成位置更新処理を拡張し、区切りタブの長さを文字列の長さにあわせて任意にする方法を提案する。
【００５２】
図２５に内部に文字列を持つ矩形画像を生成する方法の模式図を示す。また、デジタル複写機は文字の画像イメージを収めたフォントデータ９４および日付を取得するためのカレンダー機能９５を装備しているものとする。ページメモリ６５には、あらかじめデータ蓄積用メモリ６７から圧縮伸張部６３によって取り出されるか、またはそのような画像データに対して画像処理が施された画像データ８４が置かれているものとする。
【００５３】
まず矩形画像生成処理では、コントローラ６０はメモリ６１に用意された文字列の文字数から、その文字列の横方向に必要なサイズを計算する。そして、コントローラ６０は共用メモリ６６上に共用メモリ６６の画像原点８８から、あらかじめ定義されている縦寸法ａと上記で計算した横寸法ｃで、黒色に対応する値を用いて矩形画像を作成する。さらにコントローラ６０は、文字列の各文字の画像イメージをフォントデータ９４から取得し、矩形画像内に白に対応する値で重ね書きし、内部に文字列を埋め込んだ矩形画像９６を作成する。尚、上記文字列は、カレンダー機能９５から取り込まれたものであってもよいし、画像情報のヘッダーに組み込まれた情報であってもよいし、前述以外のユーザによる任意の設定でも構わない。尚、本発明では、例えば、コピー作業の場合、部数またはページ番号、日付を、ＦＡＸの場合は日付を、プリンタ印刷の場合は、部数またはページ番号、日付、任意の文字列等とする。
【００５４】
次に、合成位置更新処理が行われる。コントローラ６０は基準位置のY 座標の値に前述した矩形画像生成処理で得られた横寸法ｃを加算し、その値で合成位置テーブル９７の値を更新する。このとき計算されたY 座標の値が対応する用紙の縦寸法よりも大きい場合はあらかじめ決められた先頭位置を格納する。これにより、次にコントローラ６０が合成位置テーブル９７から画像合成の基準位置を得た場合、先に合成された位置とは異なる位置を得ることができる。次に、区切りタブ付加処理では、コントローラ６０は画像処理部６４に画像合成を指示する。その際、矩形画像８７の縦寸法ａと横寸法ｃおよび合成位置取得処理で計算した矩形画像８７を付加する合成位置、回転角度を情報として付加する。画像処理部６４は共用メモリ６６上の矩形画像８７に必要に応じて指定角度回転し、コントローラから与えられた合成位置８９に付加する。このようにして図２６に示すような合成画像データが得られる。この例は、ページ番号を埋め込んだ例と、日付文字列を埋め込んだ例を示している。
【００５５】
これらの文字列の埋め込みを設定するため、ＬＣＤに表示する設定画面およびコンピュータ上の設定画面は図２７、図２８、図２９の通りとなる。
図２７はコピーの場合の設定画面であり、図１７の画面で区切りタブ付加アイコン９０を押した場合に更に表示される画面である。この画面には部数／ページ付加アイコン１００、日付付加アイコン９９、文字なしアイコン９８があり、ユーザが部数／ページ付加アイコン１００を選択した場合は、ソートモードでのコピーの場合は部数が、グループモードでのコピーの場合はページ数が区切りタブに埋め込まる。日付付加アイコン９９を選択した場合は、コピー作業を行った日の日付が埋め込まれる。文字なしアイコン９８を選択した場合は文字列の埋め込みは行われない。
【００５６】
図２８はＦＡＸの場合の設定であり、図２０に示す画面の区切りタブ設定行９１にさらに日付ボタン１０１が追加されている。ユーザが日付ボタン１０１を押した場合、ＦＡＸ印刷が行われた日の日付が埋め込まれる。なお、ONボタン９２を押した場合は文字を埋め込まない区切りタブ付加となる。
【００５７】
図２９はプリンタ印刷の場合の設定であり、図２１に示す画面にさらに日付、部数、文字列のどれかを選択できるラジオボタン１０２、１０３、１０４が追加されており、文字列を選択した場合、文字列欄１０５に文字列を書き込むことができる。日付を選択した場合は印刷が行われた日の日付が埋め込まれ、部数／ページを選択した場合はソートモードでのコピーの場合は部数が、グループモードでのコピーの場合はページ数が区切りタブに埋め込まれる。文字列を選択した場合、ユーザが文字列欄１０５に指定した文字列が区切りタブに埋め込まれる。
【００５８】
以下、コピー動作の場合の印刷処理を説明する。基本的な処理の流れは図５の通りである。図５の処理ＳＴ２においてユーザは図１７の画面で区切りタブ付加を設定するが、この時、図２７の画面が表示され、ここでアイコン９８、９９、１００を選択することにより、部数またはページ番号の埋め込みか日付の埋め込みか文字なしを選択することができる。ユーザが設定を行うと処理ＳＴ３ではコントローラにより設定が保存され、処理ＳＴ５において作成される管理テーブルのコピー設定に反映される。そして、ＳＴ６の原稿読み込み処理が終了すると印刷処理が始まるが、この時の処理は図３０、図３１、図３２、図３３のどれかとなる。部数またはページ番号の埋め込みが設定されている場合、ソートモードであれば図３０の処理となり、グループモードであれば図３１の通りとなる。日付の埋め込みの場合はソートモードであれば図３２の処理となり、グループモードであれば図３３の通りとなる。
【００５９】
図３０は、ソートモードの場合の処理である。印刷処理が開始されると、コントローラ６０はメモリ６１に文字列領域を確保し、そこに埋め込むべき文字列を用意する（ＳＴ６１）。１部目の場合文字列として“１”を設定する。そして文字列を埋め込んだ矩形画像を生成する（ＳＴ６２）。次いで合成位置を取得した後（ＳＴ６３）、合成位置更新処理を行う（ＳＴ６４）。ここで、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ６５）。次にコントローラ６０は管理テーブルにおいて、用紙サイズが未定であるか調べ（ＳＴ６６）、用紙サイズが未定の場合、管理テーブルに保持されている原稿サイズとコピー設定とからコントローラ６０が用紙サイズを自動的に決定し（ＳＴ６７）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加え（ＳＴ６８）、さらに前述した区切りタブ付加処理（ＳＴ６９）を行い、画像の合成を行う。こうして得られた画像データを印刷部４はコントローラ６０の指示に従い印刷する（ＳＴ７０）。ここで、１枚目の印刷が終了するとコントローラ６０は最終ページまで印刷したかを判断し（ＳＴ７１）、ページ終了でなければＳＴ６５に戻る。最終ページまで印刷が終了の場合、コントローラ６０は管理テーブルに保持されている指定部数を印刷したか判断する（ＳＴ７２）。部数終了の場合は印刷処理を完了し、そうでなければＳＴ６１に戻る。これにより、１部印刷が終了するまで、同じ位置に区切りタブが付加されることになり、また、複数部の作成においては、それぞれ異なる位置に異なる文字列を埋め込んだタブが付加されることになる。
【００６０】
図３１は、グループモードの場合の処理である。印刷処理が開始されると、コントローラ６０はメモリ６１に文字列領域を確保し、そこに埋め込むべき文字列を用意する（ＳＴ７３）。１部目の場合文字列として“１”を設定する。そして文字列を埋め込んだ矩形画像を生成する（ＳＴ７４）。次いで合成位置を取得し（ＳＴ７５）、合成位置更新処理を行う（ＳＴ７６）。ここで、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ７７）。次にコントローラ６０は管理テーブルにおいて、用紙サイズが未定であるか調べ（ＳＴ７８）、用紙サイズが未定の場合、管理テーブルに保持されている原稿サイズとコピー設定とからコントローラ６０が用紙サイズを自動的に決定し（ＳＴ７９）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加え（ＳＴ８０）、さらに前述した区切りタブ付加処理（ＳＴ８１）を行い、画像の合成を行う。こうして得られた画像データを印刷部４はコントローラ６０の指示に従い印刷する（ＳＴ８２）。ここで、１ページの印刷が終了すると、コントローラ６０は管理テーブル保持されている指定部数枚を印刷したか判断する（ＳＴ８３）。部数枚に達してなければＳＴ８２に戻る。指定部数枚を印刷した場合は、コントローラ６０は次に最終ページに達したか判断する（ＳＴ８４）。最終ページでなければＳＴ７３に戻る。これにより、区切りタブ位置は、ページ毎に異なるようになり、また、埋め込まれる文字列もページ毎に異なることになる。
【００６１】
尚、日付の埋め込みの場合は、ソートモードのとき図３２に示す処理となり、グループモードのときは図３３に示す処理となる。
図３２の処理ではコントローラ６０はＳＴ６１においてカレンダー機能９５から現在の日付を取得し、それを文字列として以下、図３０と同様の処理を行う。ただし、図３０においてＳＴ７２でＮＯが選択された場合、ＳＴ６１に戻るが、ここではＳＴ６３に戻る処理となる。これにより日付は変更されることなく、タブ付加位置のみ変更されることになる。
【００６２】
図３３の処理ではコントローラ６０はＳＴ６１においてカレンダー機能９５から現在の日付を取得し、それを文字列として以下、図３１と同様の処理を行う。ただし、図３１においてＳＴ８４でＮＯが選択された場合、ＳＴ７３に戻るが、ここではＳＴ７５に戻る処理となる。これにより日付は変更されることなく、タブ付加位置のみ変更されることになる。
【００６３】
次にＦＡＸ印刷の場合について述べる。ユーザはあらかじめ図２８に示すＦＡＸでの設定画面において、区切りタブ付加設定行９１の日付ボタン１０１を選択することで日付埋め込みの区切りタブ付加を設定できる。日付埋め込みの区切りタブ付加を指定すると、すべてのＦＡＸ印刷において日付埋め込みの区切りタブ付加処理が行われる。日付埋め込みの場合でも、通常の区切りタブ付加処理と同様にＦＡＸ受信した画像データのデータ蓄積用メモリ６７へ格納を行う。そして、コントローラ６０は印刷処理を開始するが、この印刷処理は図３２に示したコピー処理での印刷処理と同じ処理を行う。図３２の印刷処理を行うことで、ＦＡＸデータの印刷においても日付埋め込みの区切りタブ付加ができる。
【００６４】
プリンタ印刷の場合、印刷データを送るコンピュータで図２９に示すプリンタ設定画面によって、ユーザは埋め込む文字列の種類を指定できる。この設定はコンピュータからデジタル複写機に送られる印刷データのヘッダー領域に従来の印刷設定に加えて格納される。図２９の画面でユーザが文字列欄１０５に文字列を指定した場合はその文字列もヘッダー領域に格納される。通常の区切りタブ付加処理のときと同様にデータ蓄積用メモリ６７に画像データをすべて格納するまでが行われ、そしてコントローラ６０は印刷処理を開始する。ユーザが区切りタブに埋め込む文字列を指定した場合は、管理テーブルにその文字列も印刷設定の一部として保持される。この印刷処理はコピー処理での印刷処理と同じ処理であり、管理テーブルに保持されている印刷設定に従い、部数またはページ番号の埋め込みが設定されている場合でソートモードであれば図３０の処理を行い、グループモードであれば図３１の処理を行う。日付の埋め込みの場合でソートモードであれば図３２の処理となり、グループモードであれば図３３の処理を行う。
【００６５】
このように、図３０、図３１、図３２、図３３に示す印刷処理を行うことによって、区切りタブ内部に文字列を埋め込む処理を行うことができる。
さらに本発明では、デジタル複写機が図示しない両面装置を装備している場合は、画像データを印刷する面の裏に矩形画像を合成する方法を提案する。ただし印刷の設定において両面印刷が指定されている場合は裏面の画像データに区切りタブを合成する。これを実現するため、コピー、ＦＡＸ、プリンタの設定画面は図３４、図３５、図３６に示すアイコンまたはボタンを追加する。
【００６６】
図３４はコピー時の設定画面であり、図２７の設定画面を拡張したものである。１０６は部数／ページ埋め込みの区切りタブを裏面に付加する設定アイコンであり、１０７は日付埋め込み区切りタブを裏面に付加する設定アイコンであり、１０８は文字の埋め込みがない区切りタブを裏面に付加する設定アイコンである。
【００６７】
図３５はＦＡＸの設定画面であり、図２８に示す画面の区切りタブ設定行９１にさらに表面ボタン１０９と裏面ボタン１１０が追加されており、どちらかのボタンが選択できる。ユーザが裏面ボタン１１０を選択した場合は画像データが印刷された面の裏側に区切りタブが印刷される。表面ボタン１０９の場合は通常通り表側に区切りタブが印刷される。
【００６８】
図３６はプリンタ印刷の場合の設定画面であり、図２９に示す画面にさらに裏面付加チェックボックス１１１が追加されている。１１１のチェックボックスを設定すると区切りタブは裏面に印刷される。
【００６９】
図３７に裏面に区切りタブを印刷するときのフローチャート図を示す。印刷処理を開始すると、前述した矩形画像生成処理（ＳＴ９０）を行い、次いで合成位置を取得し（ＳＴ９１）、合成位置更新処理を行う（ＳＴ９２）。ここで、コントローラ６０が管理テーブルに保持されている画像データの位置を圧縮伸張部６３に指定し、１ページ目の画像データの取出しを指示する。圧縮伸張部６３は指定された画像データをデータ蓄積用メモリ６７からページメモリ６５に取り出す（ＳＴ９３）。次にコントローラ６０は管理テーブルにおいて、用紙サイズが未定であるか調べ（ＳＴ９４）、用紙サイズが未定の場合、管理テーブルに保持されている原稿サイズとコピー設定とからコントローラ６０が用紙サイズを自動的に決定し（ＳＴ９５）、管理テーブルに格納される。そしてコントローラ６０は、管理テーブルに保持されているコピー設定や原稿サイズ、用紙サイズに応じて画像処理部６４に指示し、ページメモリ６５上の画像データに対して画像処理を加え（ＳＴ９６）、印刷部４はコントローラ６０の指示に従い印刷する（ＳＴ９７）。ここで、図示しない両面装置によって印刷された用紙を反転させる（ＳＴ９８）。そして、両面印刷の設定がなされているかを判断し（ＳＴ９９）、両面印刷の設定がなされている場合は、次に印刷する画像データをページメモリ６５より取り出し（ＳＴ１０１）、所定の画像処理を行って（ＳＴ１０２）、さらに前述した区切りタブ付加処理（ＳＴ１０３）を行い、画像の合成を行う。こうして得られた画像データを印刷する（ＳＴ１０４）。ここで、１枚目／１ページ目の印刷が終了するとコントローラ６０は最終ページ／最終枚数まで印刷したかを判断し（ＳＴ１０５）、ページ終了／枚数終了でなければＳＴ９３に戻る。最終ページまで印刷が終了の場合、コントローラ６０は管理テーブルに保持されている指定部数／指定ページ数を印刷したか判断する（ＳＴ１０６）。部数終了の場合は印刷処理を完了し、そうでなければＳＴ９１に戻る。ＳＴ９９において両面印刷が設定されていないときは管理テーブルから用紙サイズを得てそのサイズの白紙画像をページメモリ６５上に用意する（ＳＴ１００）。その後ＳＴ１０４より前述した処理を行う。
【００７０】
【発明の効果】
以上、詳述したようにこの発明の実施の形態によれば、区切りタブの印刷場所を１巡した後、少しずらすことによって、先の印刷で先頭位置に区切りタブが印刷された用紙が排紙トレイに残っていると、前の印刷物と新しく印刷されたものとので区切りタブの位置が一致し、区別がつかなくなるという不具合を回避することができる。また、区切りタブ内に文字を埋め込むことによって様々な情報を付加することができる。更に、埋め込む文字列の長さによって区切りタブの長さを変化させる方法を提案した。また、両面印刷装置を持つ場合、本来不要である区切りタブを裏面に付加するシステムを提案した。
【図面の簡単な説明】
【図１】本発明の画像形成装置に係るデジタル複写機の断面図。
【図２】この発明のデジタル複写機の上面図。
【図３】コントロールパネルの構成を示す図。
【図４】デジタル複写機の構成図。
【図５】デジタル複写機によるコピー処理の流れを示したフローチャート図。
【図６】原稿読み込み処理の流れを示したフローチャート図。
【図７】ソートモードでの印刷処理の流れを示したフローチャート図。
【図８】グループモードでの印刷処理の流れを示したフローチャート図。
【図９】ＦＡＸ受信印刷の処理の流れを示したフローチャート図。
【図１０】プリンタ印刷の処理の流れを示したフローチャート図。
【図１１】合成画像生成を示した模式図。
【図１２】画像データの原点位置を示した図。
【図１３】画像データの原点決定方法を示した図。
【図１４】座標変換テーブルを示した図。
【図１５】合成位置テーブルを示した図。
【図１６】区切りタブの付加方法を示した模式図。
【図１７】ＬＣＤ表示例を示した図。
【図１８】区切りタブ付加の場合のソートモードでの印刷処理の流れを示したフローチャート図。
【図１９】区切りタブ付加の場合のグループモードでの印刷処理の流れを示したフローチャート図。
【図２０】ＦＡＸの設定画面を示した図。
【図２１】プリンタ印刷の設定画面を示した図。
【図２２】区切りタブ付加位置を示した図。
【図２３】区切りタブ位置をずらす場合の合成位置テーブルを示した図。
【図２４】区切りタブ位置をずらす場合の先頭位置対応テーブルを示した図。
【図２５】内部文字形成時の矩形画像生成方法を示した模式図。
【図２６】文字列埋め込み例を示した図。
【図２７】文字列埋め込み設定機能を搭載した複写機のＬＣＤ表示例を示した図。
【図２８】文字列埋め込み設定機能を搭載したＦＡＸの設定画面を示した図。
【図２９】文字列埋め込み設定機能を搭載したプリンタの設定画面を示した図。
【図３０】文字列埋め込み設定機能を搭載した複写機のソートモードでの印刷処理の流れを示したフローチャート図。
【図３１】文字列埋め込み設定機能を搭載した複写機のグループモードでの印刷処理の流れを示したフローチャート図。
【図３２】文字列埋め込み設定機能を搭載したＦＡＸ受信印刷の流れを示したフローチャート図。
【図３３】文字列埋め込み設定機能を搭載したプリンタ印刷の流れを示したフローチャート図。
【図３４】用紙裏面に区切りタブを付加する機能を持つ複写機のＬＣＤ表示例。
【図３５】用紙裏面に区切りタブを付加する機能を持つＦＡＸの設定画面を示した図。
【図３６】用紙裏面に区切りタブを付加する機能を持つプリンタの設定画面を示した図。
【図３７】裏面に区切りタブを印刷する時の流れを示すフローチャート図。
【符号の説明】
１    デジタル複写機
２    自動原稿送り装置
３    スキャナ
４    印刷部
５０    コントロールパネル
５４    タッチパネル式ＬＣＤ
６０    コントローラ
６１    メモリ
６２    制御バス
６３    圧縮伸長部
６４    画像形成部
６５    ページメモリ
６６    共用メモリ
６７    データ蓄積用メモリ
６８    座標変換テーブル
６９    ＦＡＸ機能部
７０    プリンタ機能部
７１    電話回線
７２    コンピュータ
７３    データ転送部
８０    合成画像
８２    矩形画像
８４    原点
８５    座標変換テーブル
８６    合成位置テーブル
９０    区切りタブ付加アイコン
９１    区切りタブ付加の設定行
９３    区切りタブ付加設定用チェックボックス
９５    カレンダ機能
９７    合成位置テーブル
９８    文字なしアイコン
９９    日付付加アイコン
１００    部数／ページ付加アイコン
１０１    日付ボタン
１０５    文字列欄
【図１】
0003980185.tif 000002
【図２】
0003980185.tif 000003
【図３】
0003980185.tif 000004
【図４】
0003980185.tif 000005
【図５】
0003980185.tif 000006
【図６】
0003980185.tif 000007
【図７】
0003980185.tif 000008
【図８】
0003980185.tif 000009
【図９】
0003980185.tif 000010
【図１０】
0003980185.tif 000011
【図１１】
0003980185.tif 000012
【図１２】
0003980185.tif 000013
【図１３】
0003980185.tif 000014
【図１４】
0003980185.tif 000015
【図１５】
0003980185.tif 000016
【図１６】
0003980185.tif 000017
【図１７】
0003980185.tif 000018
【図１８】
0003980185.tif 000019
【図１９】
0003980185.tif 000020
【図２０】
0003980185.tif 000021
【図２１】
0003980185.tif 000022
【図２２】
0003980185.tif 000023
【図２３】
0003980185.tif 000024
【図２４】
0003980185.tif 000025
【図２５】
0003980185.tif 000026
【図２６】
0003980185.tif 000027
【図２７】
0003980185.tif 000028
【図２８】
0003980185.tif 000029
【図２９】
0003980185.tif 000030
【図３０】
0003980185.tif 000031
【図３１】
0003980185.tif 000032
【図３２】
0003980185.tif 000033
【図３３】
0003980185.tif 000034
【図３４】
0003980185.tif 000035
【図３５】
0003980185.tif 000036
【図３６】
0003980185.tif 000037
【図３７】
0003980185.tif 000038